(57)【要約】【目的】互いに不適合とされるバッテリー装着装置への誤装着を防止する。【構成】バッテリーセルと、このバッテリーセルを収納するケース１９と、バッテリーセルの電力を出力する第１、第２及び第３の出力端子２１，２２，２３と、各出力端子２１，２２，２３が配されたケース１９の前面２０に連設され、この前面２０に配されたケース１９の底面２４とを有し、底面２４のほぼ中央部に識別用溝３２を有する識別用凹部３０が形成される。【選択図】  図３
2007188906.tif 000002
【特許請求の範囲】
【請求項１】
バッテリーセルと、
上記バッテリーセルを収納するケースと、
上記バッテリーセルの電力を出力する出力端子と、
上記出力端子が配された上記ケースの第１の面と、
上記第１の面に連設された上記ケースの第２の面と、
上記ケースの第２の面に設けられた複数の段からなる凹部とを有し、
上記凹部は、上記第１の面に平行な内周面に、当該バッテリーパックが装着されるバッテリー装着装置の突部が係合することを特徴とするバッテリーパック。
【請求項２】
上記凹部は、前記第１の面に垂直に配された前記ケースの第２の面のほぼ中央部に形成されていることを特徴とする請求項１記載のバッテリーパック。
【請求項３】
上記凹部は、上記第１の面に直交する内周面に、当該バッテリーパックが装着されるバッテリー装着装置の突部が係合することを特徴とする請求項１記載のバッテリーパック。
【請求項４】
上記凹部内には、上記第１の面に直交する方向に突出された第１の突部が設けられたことを特徴とする請求項１記載のバッテリーパック。
【請求項５】
上記凹部内には、上記第１の突部の先端部に、段をなす第２の突部が、上記第１の面にほぼ直交する方向に突出して設けられたことを特徴とする請求項４記載のバッテリーパック。
【請求項６】
上記バッテリーセルは、一次電池を有することを特徴とする請求項１記載のバッテリーパック。
【発明の詳細な説明】
【技術分野】
【０００１】
本発明は、例えば電子機器の電源として用いる充電型のバッテリーセルが収納されたバッテリーパックに関する。
【背景技術】
【０００２】
従来、電子機器の電源として利用されるバッテリーセルを内部に有するバッテリーパックが知られている。この種のバッテリーパックは、電子機器の機器本体に設けられたバッテリー装着装置に対して着脱可能に装着される。
【０００３】
バッテリーパックは、電力を供給するバッテリーセルと、このバッテリーセルを内部に収納するケースと、バッテリー装着装置側の接続端子に接続される出力端子と有している。バッテリーパックが備えるバッテリーセルは、充電可能とされており、電力消耗時に出力端子を介して充電が行われる。ケースには、幅方向の両側に、バッテリー装着装置に係合するガイド溝がそれぞれ形成されている。出力端子は、ケースの長手方向の一方の側面に一端を臨ませて、ケースの底面に隣接して配設されている。
【０００４】
バッテリー装着装置は、バッテリーパックが装着される装着部と、バッテリーパックの出力端子が接続される端子部とを有しており、電子機器の機器本体に電気的に接続されている。装着部には、バッテリーパックのケースの外形よりやや大に形成されており、バッテリーパックの底面が載置される載置面が形成されている。また、装着部には、バッテリーパックの幅方向の両側に対向する面に、バッテリーパックのガイド溝に係合するガイド突部がそれぞれ形成されている。端子部は、装着部の内周部に、装着されるバッテリーパックの出力端子に対向して配設されており、装着部にバッテリーパックが装着されることによって、バッテリーパックの出力端子と接続されて電力が供給される。
【０００５】
以上のように構成されたバッテリー装着機構について、バッテリパックがバッテリー装着装置の装着部に対して装着される動作を説明する。バッテリーパックは、バッテリー装着装置の装着部に装着される際、底面が装着部の載置面に対して略平行な状態とされて、各ガイド凹部内に装着部内の各ガイド突部がそれぞれ挿入される。そして、バッテリーパックは、底面が載置面に対して略平行な方向に挿入操作されて、出力端子が装着部内の端子部に当接されて所定の装着位置に装着される。バッテリー装着装置に装着されたバッテリーパックは、装着部内の端子部に接続された出力端子を介してバッテリーセルからバッテリー装着装置を備える電子機器に電力を供給する。
【発明の開示】
【発明が解決しようとする課題】
【０００６】
上述したように、バッテリ装着装置に対してバッテリーパックが装着される際、バッテリーパックは、底面がバッテリー装着装置の装着部の載置面に対して傾斜された状態で挿入されて装着されてしまうことがあった。
【０００７】
バッテリーパックがバッテリー装着装置の装着部に装着される際には、バッテリーパックの底面が、バッテリー装着装置の装着部の載置面に対してバッテリーパックの長手方向に傾斜された状態で装着される（以下、便宜上、長手方向に傾斜して装着されると称する。）場合と、バッテリーパックの底面が、バッテリー装着装置の装着部の載置面に対してバッテリーパックの幅方向に傾斜された状態で装着される（以下、便宜上、幅方向に傾斜して装着されると称する。）場合とがある。
【０００８】
上述したような問題点に鑑み、本発明は、バッテリーパックがバッテリー装着装置の装着部に対して傾斜された状態で装着されることを確実に規制して、出力端子及び接続端子等を破損することを防止することができるバッテリーパック提供することを目的とする。
【課題を解決するための手段】
【０００９】
上述した技術課題を解決するために提案される本発明は、バッテリーセルと、このバッテリーセルを収納するケースと、バッテリーセルの電力を出力する出力端子と、この出力端子が配されたケースの第１の面と、第１の面に連設されたケースの第２の面と、ケースの第２の面に設けられた複数の段からなる凹部とを有し、この凹部の第１の面に平行な内周面に、当該バッテリーパックが装着されるバッテリー装着装置の突部が係合するようにしたものである。
【００１０】
ここで、凹部は、ケースの第１の面に垂直に配されたケースの第２の面のほぼ中央部に形成することが望ましい。
【発明の効果】
【００１１】
本発明に係るバッテリーパックは、ケースの第２の面に設けられた複数の段からなる凹部の第１の面に平行な内周面に、当該バッテリーパックが装着されるバッテリー装着装置の突部が係合するようにしたことにより、不適合とさるバッテリー装着装置への誤装着を防止することができる。
【発明を実施するための最良の形態】
【００１２】
以下、本発明の実施形態について、図面を参照して説明する。本発明が適用されたバッテリーパック５は、図１に示すように、ビデオカメラ装置１に設けられたバッテリー装着装置６に装着されて、ビデオカメラ装置１に電源の供給を行う。
【００１３】
なお、バッテリーパック５には、バッテリーセルの充電容量の大きさに応じて、高容量型、標準容量型及び低容量型等の種類がそれぞれあり、外部電源から電力を供給するためのプレート型のものがある。また、これら各種バッテリーパックに各々対応するバッテリー装着装置がそれぞれある。
【００１４】
まず、図２及び図３に示すように、高容量型として構成された第１のバッテリーパック５は、図示しないバッテリーセルと、このバッテリーセルを内部に収納するケース１９と、バッテリーセルに接続された複数の出力端子２１，２２，２３とを備えている。
【００１５】
第１のバッテリーパック５のケース１９は、例えば合成樹脂材料によって形成されている。ケース１９には、図２及び図３に示すように、幅方向の両側面に、第１のバッテリー装着装置６に対する装着方向をガイドするためのガイド溝２６，２６がそれぞれ形成されている。各側面の各ガイド溝２６，２６は、図３に示すように、一端がケース１９の底面２４に開口して形成されており、ケース１９の長手方向に並列してそれぞれ形成されている。
【００１６】
ケース１９には、図３に示すように、第１のバッテリー装着装置６に対する装着方向の前面２０側であって、このケース１９の幅方向の両側に位置して第１の出力端子２１及び第２の出力端子２２がそれぞれ配設されいる。また、ケース１９の前面２０側の幅方向の略中央に位置して第３の出力端子２３が配設されている。第１及び第２の出力端子２１，２２は、バッテリー装着装置６を介してビデオカメラ装置１の装置本体に電力を供給する。第３の出力端子２３は、ビデオカメラ装置１の装置本体に、バッテリーセルの電力残量等の情報信号を出力する。また、各出力端子２１，２２，２３の外方に臨む一端は、ケース１９の前面２０に形成された略矩形状の凹部内に位置されており、バッテリー装着装置の各接続端子以外の箇所に当接して破損することが防止されている。
【００１７】
そして、第１のバッテリーパック５のケース１９には、図３に示すように、装着可能とされる第１のバッテリー装着装置６に装着されるときに、この第１のバッテリー装着装置６に対するケース１９の底面２４の幅方向の傾斜状態を規制するための一対の規制凹部２８，２９がそれぞれ形成されている。これら規制凹部２８，２９は、図３に示すように、第１のバッテリー装着装置６に対する挿入方向の前面２０に、幅方向のほぼ中心線（図示せず）に対して線対称にそれぞれ形成されている。
【００１８】
この規制凹部２８，２９は、図３に示すように、ケース１９の底面２４に直交して形成された第１の部分と、この第１の部分に直交して形成された第２の部分とを有しており、断面略Ｌ字状を呈して形成されている。
【００１９】
また、図３に示すように、第１のバッテリーパック５には、ケース１９の底面２４の略中央に位置して、装着されるバッテリー装着装置が適合するバッテリー装着装置であるかを識別するための略矩形状の識別用凹部３０が形成されている。
【００２０】
識別用凹部３０は、図３に示すように、ケース１９の幅方向のほぼ中心線上に位置するとともに、ケース１９の底面２４側の略中央から前面２０側に位置して形成されている。この識別用凹部３０内の底面には、図３に示すように、ケース１９の幅方向のほぼ中心線上に位置して、略矩形状の識別用溝３２が長手方向の両端に連続して形成されている。したがって、識別用凹部３０内には、図３に示すように、ケース１９の底面２４の幅方向の両側に、段部がそれぞれ形成されている。この識別用凹部３０は、底面２４の幅方向に平行な寸法が幅Ｗ０に形成されている。
【００２１】
また、第１のバッテリーパック６には、図３に示すように、第３の出力端子２３に隣接して、第１のバッテリー装着装置６に対する装着方向をガイドするための第１のガイド溝３４が、ケース１９の長手方向と平行に形成されている。第１のガイド溝３４は、ケース１９の前面２０に一端を開口するとともに、他端が識別用凹部３０に連続されて形成されている。この第１のガイド溝３４には、ケース１９の前面２０側に隣接する位置に、ケース１９の底面２４に対し深さを異にする段部３５が形成されている。
【００２２】
また、ケース１９の底面２４には、図３に示すように、第３の出力端子２３を挟んで第１のガイド溝３４と対向する位置に、第２のガイド溝３６が形成されている。この第２のガイド溝３６は、ケース１９の底面２４の長手方向と平行に形成されており、一端がケース１９の前面２０に開口して形成されている。
【００２３】
また、ケース１９には、図３に示すように、幅方向の相対向する側面に、第１及び第２の出力端子２１，２２に隣接して、第１のバッテリー装着装置６に対して底面２４の幅方向の傾斜を規制するための規制溝３７，３７が、前面２０に開口するとともに底面２４に略平行にそれぞれ形成されている。
【００２４】
また、ケース１９の底面２４には、図３に示すように、第１のバッテリー装着装置６に装着された際に、第１のバッテリー装着装置６に係合される第１のロック用凹部３８及び第２のロック用凹部３９がそれぞれ形成されている。第１のロック用凹部３８は、略矩形状に形成されており、ケース１９の幅方向のほぼ中心線上に位置して、識別用凹部３８に隣接する位置に形成されている。第２のロック用凹部３９は、第１のロック用凹部３８よりやや大とされた略矩形状に形成されており、ケース１９の幅方向のほぼ中心線上に位置して、装着方向の背面側にそれぞれ形成されている。
【００２５】
次に、図４を参照して第１のバッテリー装着装置６を説明する。第１のバッテリー装着装置６は、第１のバッテリーパック５が装着されるものであって、図４に示すように、第１のバッテリーパック５の底面２４が載置される載置面４５を有する装着部４３と、第１のバッテリーパック５の各出力端子２１，２２，２３がそれぞれ接続される端子部４４とを備えている。装着部４３は、この装着部４３に装着される第１のバッテリーパック５の底面２４の形状よりやや大に形成されている。そして、装着部４３に第１のバッテリーパック５が装着されたとき、この第１のバッテリーパック５５の幅方向の両側面と対向する各側面に、載置面４５に隣接して、第１のバッテリーパック５の各ガイド溝２６にそれぞれ係合するガイド突部４７がそれぞれ一体に形成されている。
【００２６】
装着部４３は、第１のバッテリーパック５が装着される際に、ケース１９の各ガイド溝２６にガイド突部４７がそれぞれ挿入されることによって、ケース１９の底面２４を載置面４５に略平行とさせて挿入方向をガイドするとともに、第１のバッテリーパック５を保持する。
【００２７】
第１のバッテリー装着装置６に設けられる端子部４４は、図４に示すように、第１の接続端子５１及び第２の接続端子５２と第３の接続端子５３からなり、装着部４３に装着される第１のバッテリーパック５の前面２０に対向する突当面４６側に配設されている。この端子部４４を構成する第１の接続端子５１及び第２の接続端子５２には、第１のバッテリーパック５の第１及び第２の出力端子２１，２２がそれぞれ接続されるものであって、図４及び図６に示すように、装着部４３の幅方向の両側に位置してそれぞれ設けられている。また、端子部４４を構成する第３の接続端子５３には、第１のバッテリーパック５の第３の出力端子２３が接続されるものであって、図４及び図６に示すように、装着部４３の幅方向の略中央に位置して設けられている。
【００２８】
第１、第２及び第３の接続端子５１，５２，５３は、図４及び図５に示すように、装着部４３の突当面４６に、装着部４３に装着される第１のバッテリーパック５の底面２４に平行であって、第１のバッテリーパック５の長手方向と平行にそれぞれ設けられている。これら第１、第２及び第３の接続端子５１，５２，５３は、図７に示すように、第１のバッテリーパック５の各出力端子２１，２２，２３に挿入される端子板５５と、この端子板５５を保護する保護部材５６とを有している。
【００２９】
端子板５５は、主面が、装着部４３の載置面４５と略平行されて、基端部が装着部４３の突当面４６に支持されている。端子板５５は、先端部に切欠き部５７が形成されることにより分断されており、先端部が幅方向に弾性変形可能とされている。
【００３０】
保護部材５６は、図７に示すように、略半円管状の基材を、この基材の長手方向の中途部から折り返して間に端子板５５を挟み込んで略円管状に形成されている。この保護部材５６は、折り返された先端部から、幅方向の両側に端子板５５の先端部が弾性変位可能にそれぞれ突出されている。
【００３１】
以上のように構成された各接続端子５１，５２，５３は、第１のバッテリーパック５の各出力端子２１，２２，２３に挿入されるときに、端子板５５の先端部が幅方向に弾性変位して挿入され、端子板５５が出力端子２１，２２，２３内に確実に当接されて電気的に接続される。
【００３２】
接続端子５１，５２，５３によれば、装着部４３に第１のバッテリーパック５が装着される際、第１のバッテリーパック５の底面２４が誤って当接されたときに、装着部４３の深さ方向である第１のバッテリーパック５の高さ方向から付与される押圧力に対する剛性の向上が図られているため、端子板５５を保護し破損を防止することが可能となる。
【００３３】
また、端子部４４には、図４、図５及び図６に示すように、第１、第２及び第３の接続端子５１，５２，５３を保護するためのカバー部材６０が設けられている。このカバー部材６０は、装着部４３に対して図５中矢印ａ１方向又は矢印ａ２方向に回動可能に支持されている。
【００３４】
カバー部材６０は、例えば合成樹脂材料によって形成されており、図４に示すように、略矩形状に形成された保護片６１と、この保護片６１を支持する支持片６２，６２とを有している。カバー部材６０の保護片６１には、装着部４３の載置面４５に対向する面に、厚み方向に傾斜された傾斜面部６３が形成されている。カバー部材６０は、装着部４３に第１のバッテリーパック５が装着される際に、保護片６１にケース１９が当接されて挿入されることによって、図５中矢印ａ２方向に容易に回動される。カバー部材６０の支持片６２，６２は、装着部４３の突当面４６に、図示しない回動支軸を介して回動可能に支持されている。また、カバー部材６０は、回動支軸の外周部に図示しない捻りコイルバネが設けられている。この捻りコイルバネは、一端が装着部４３の突当面４６に係止されており、他端がカバー部材６０の支持片６２，６２に係止されている。したがって、カバー部材６０は、捻りコイルバネの弾性力により、図５中矢印ａ１方向に回動するように付勢されており、第１、第２及び第３の接続端子５１，５２，５３を覆う位置に移動されている。
【００３５】
したがって、カバー部材６０は、装着部４３に第１のバッテリーパック５が装着されていない状態で、各接続端子５１，５２，５３を覆うため、これら各接続端子５１，５２，５３の保護を図ることができる。
【００３６】
また、第１のバッテリー装着装置６の装着部４３には、突当面４６と載置面４５とに跨って、第１のバッテリーパック５の各規制凹部２８，２９にそれぞれ係合する一対の規制突部６５，６６が、幅方向にほぼ中心線に対して線対称にそれぞれ一体に形成されている。各規制突部６５，６６は、図５及び図６に示すように、第１及び第２の接続端子５１，５２に隣接する位置にそれぞれ設けられている。
【００３７】
これら各規制突部６５，６６は、載置面４５に直交して形成された第１の部分と、この第１の部分に直交して形成された第２の部分とを有しており、断面略Ｌ字状を呈して形成されている。これら各規制突部６５，６６は、第１のバッテリーパック５の底面２４が装着部４３の載置面４５に対して幅方向に傾斜された状態とされることを規制する。そして、各規制突部６５，６６は、載置面４５に直交する方向の高さＨ１が、各接続端子５１，５２，５３の外周部の高さＨ０より大となるようにそれぞれ形成されている。
【００３８】
また、第１のバッテリー装着装置６の装着部４３には、突当面４６と載置面４５とに跨って、第３の接続端子５３に隣接する位置に、第１のバッテリーパック５の挿入方向をガイドする第１のガイド突部６８が一体に形成されている。この第１のガイド突部６８は、図４、図５及び図６に示すように、載置面４５の長手方向と平行に形成されており、装着される第１のバッテリーパック５の底面２４の第１のガイド溝３４に係合する位置に形成されている。
【００３９】
各規制突部６５，６６及び第１のガイド突部６８は、図５及び図６に示すように、各接続端子５１，５２，５３に比較して高さが大とされることによって、載置面４５から各接続端子５１，５２，５３以上に突出されているため、載置面４５に対して直交する方向から第１のバッテリーパック５等が挿入された場合に、ケース１９の外周部が各接続端子５１，５２，５３に誤って当接することを防止して、各接続端子５１，５２，５３が破損することを防止することができる。また、規制突部６５，６６は、断面略Ｌ字状に形成されたことによって、十分な剛性が確保されている。
【００４０】
なお、各規制突部６５，６６及び第１のガイド突部６８は、載置面４５に直交する方向の高さが、各接続端子５１，５２，５３の外周部の高さと略同一に形成されても、各接続端子５１，５２，５３を保護することが可能である。
【００４１】
また、装着部４３には、図４、図５及び図６に示すように、突当面４６と載置面４５とに跨って、第１のバッテリーパック５の装着方向をガイドする第２のガイド突部７０が、載置面４５の長手方向と平行に一体に形成されている。この第２のガイド突部７０は、第１のバッテリーパック５の第２のガイド溝３６に係合することによって、装着方向をガイドする。
【００４２】
また、第１のバッテリー装着装置６の装着部４３には、幅方向の両側面に、規制溝３７，３７に係合する規制爪７２，７２がそれぞれ一体に突出形成されている。規制爪７２，７２は、載置面４５に平行とされるとともに、第１のバッテリーパック５の長手方向に平行に形成されている。
【００４３】
また、第１のバッテリー装着装置６の装着部４３には、図４に示すように、載置面４５の略中央に、第１のバッテリーパック６の識別用凹部３０に係合する識別用突部７３が一体に形成されている。この識別用突部７３は、略直方体状に形成されている。この識別用突部７３の先端部には、識別用凹部７３の識別溝３２に係合する識別用突片７４が一体に形成されている。そして、この識別用突部７３は、図４に示すように、載置面４５の幅方向に平行な寸法が、第１のバッテリーパック５の識別用凹部３０の幅Ｗ０より小とされた幅Ｗ１に形成されており、識別用凹部３０に挿入可能とされている。また、図４に示すように、識別用突部７３は、突当面４６から直交する方向に距離Ｌ１を隔てた位置に形成されている。
【００４４】
また、バッテリー装着装置６の装着部４３には、図４に示すように、第１のバッテリーパック５が装着された際に、第１のバッテリーパック５を保持するためのロック機構７５が設けられている。このロック機構７５は、図４に示すように、第１のバッテリーパック５に係合する略平板状のロック部材７６と、このロック部材７６を載置面４５に対して移動させる操作レバー７７と、この操作レバー７７を第１のバッテリーパック５の第１のロック用凹部３８に係合する方向に付勢する図示しないコイルバネとを有している。
【００４５】
ロック部材７６には、図４に示すように、主面上に、第１のバッテリーパック５の第１のロック用凹部３８に係合するロック爪７９が一体に突出形成されている。また、装着部４３の略中央には、ロック部材７６のロック爪７９が挿通されて載置面４５上に突出させるための開口部８０が形成されている。
【００４６】
操作レバー７７は、先端部がロック部材７６に係合されており、他端部に押し込み操作するための操作片８１が形成されている。載置面４５には、装着部４３に装着された第１のバッテリーパック５の背面側に、操作片８１が突出される操作用凹部８２が形成されている。操作レバー７７は、ロック部材７６の移動にともなって移動されて、操作片８１が操作用凹部８２内に突出される。
【００４７】
以上のように構成されたロック機構７５は、装着部４３に第１のバッテリーパック５が装着される際、第１のロック用凹部３８内にロック部材７６のロック爪７９が係合されて、装着部４３に装着された第１のバッテリーパック５が移動操作不能とされて、装着部４３内に第１のバッテリーパック５が保持される。ロック機構７５は、ロック部材７６のロック爪７９が開口部８０から突出された状態で、操作レバー７７の操作片８１が操作用凹部８２内に突出される。
【００４８】
また、このロック機構７５は、装着部４３内に装着された第１のバッテリーパック５を取り外すとき、第１のロック用凹部３８内にロック爪７９が係合された状態で、操作レバー７７の操作片８１を押し込み操作することによって、第１のロック用凹部３８とロック爪７９の係合状態が解除される。第１のバッテリーパック５は、第１のバッテリー装着装置６に装着された状態で、装着部４３内に対して第１のバッテリーパック５を移動操作可能とされて取り外される。
【００４９】
上述したロック機構７５は、ロック部材７６のロック爪７９が第１のバッテリーパック５の第１のロック用凹部３８に係合するように構成されたが、装着部４３の設計条件等によって第２のロック用凹部３９に係合する構成に適宜変更してもよい。
【００５０】
以上のように構成された第１のバッテリーパック５が第１のバッテリー装着装置６に対して装着する動作を図面を参照して説明する。
【００５１】
まず、第１のバッテリーパック５は、図８及び図９に示すように、第１のバッテリー装着装置６の装着部４３内に装着される際に、ケース１９の底面２４が、この底面２４の長手方向である図９中に示す矢印ｂ方向に傾斜された状態で誤って挿入された場合、ガイド突部４７にケース１９の底面２４が当接するとともに、規制突部２８，２９にケース１９の前面２０が当接するため、確実に挿入不能とされて、各出力端子５１，５２，５３及び各接続端子２１，２２，２３に他の箇所が当接することが確実に妨げられている。したがって、各出力端子５１，５２，５３及び各接続端子２１，２２，２３は、破損することが確実に防止されている。
【００５２】
そして、第１のバッテリーパック５は、ケース１９の各ガイド溝２６に装着部４３の各ガイド突部４７がそれぞれ挿入されることによって、図９中矢印ｂ方向に示すように装着部４３の載置面４５に対するケース１９の底面２４の長手方向の傾斜状態が確実に規制されて、底面２４の長手方向が載置面４５に対して略平行とされて、第１のバッテリー装着装置６に良好に装着される。
【００５３】
また、第１のバッテリーパック５は、ケース１９の底面２４が傾斜された状態で、非常に大きな力で押し込められることによって、第１のバッテリー装着装置６に仮に装着されてしまった場合に第１のバッテリーパック５を脱落させる大きな外力が負荷されたときであっても、大きな外力が比較的剛性を有する略Ｌ字状の規制突部６５，６６に負荷されるため、各出力端子５１，５２，５３及び各接続端子２１，２２，２３を破損することが防止される。
【００５４】
次に、第１のバッテリーパック５は、図１０及び図１１に示すように、第１のバッテリー装着装置６の装着部４３内に装着される際、ケース１９の底面２４が、この底面２４の幅方向である図１０中矢印ｃ方向に傾斜された状態で誤って挿入された場合、少なくともいずれか一方の規制爪７２が規制溝に挿入されずに規制爪７２にケース１９の底面２４が当接するとともに、規制突部にケース１９の前面２０が当接するため、確実に挿入不能とされて、各出力端子５１，５２，５３及び各接続端子２１，２２，２３に他の箇所が当接することが確実に妨げられている。したがって、各出力端子５１，５２，５３及び各接続端子２１，２２，２３の損傷を確実に防止することができる。
【００５５】
そして、第１のバッテリーパック５は、ケース１９の各規制凹部２８，２９内に装着部４３の各規制突部６５，６６がそれぞれ挿入されることによって、図１０中矢印ｃ方向に示すように装着部４３の載置面４５に対するケース１９の底面２４の幅方向の傾斜状態が確実に規制されて、底面２４の幅方向が載置面４５に対して略平行とされて、第１のバッテリー装着装置６に良好に装着される。
【００５６】
さらに、第１のバッテリーパック５は、第１のバッテリー装着装置６の装着部４３内に装着される際、ケース１９の規制溝３７，３７に装着部４３の規制爪７２，７２がそれぞれ係合されることにより、装着部４３の載置面４５に対するケース１９の底面２４の幅方向の傾斜状態が確実に規制されて、底面２４の幅方向が載置面４５に対して略平行とされて、第１のバッテリー装着装置６に良好に装着される。
【００５７】
したがって、第１のバッテリーパック５は、第１のバッテリー装着装置６の装着部４３内に装着されるとき、ケース１９の底面２４が装着部４３の載置面４５に対して略平行な状態とされる。換言すれば、第１のバッテリーパック５は、第１のバッテリー装着装置６の装着部４３内に装着される際に、ケース１９の底面２４が載置面４５に対して長手方向又は幅方向に傾斜されて、装着部４３に不完全な状態で装着されてしまうことが確実に防止されている。
【００５８】
また、第１のバッテリーパック５は、第１のバッテリー装着装置６の装着部４３内に装着される際、載置面４５にケース１９の底面２４が載置されるときに、底面２４の識別用凹部３０内に、載置面４５の識別用突部７３が挿入されるとともに、識別溝３２内に識別突片７４が挿入されることにより、第１のバッテリー装着装置６に適合されていることが識別される。第１のバッテリー装着装置６は、第１のバッテリーパック５が装着される際、載置面４５の識別用突部７３を底面２４の識別用凹部３０内に挿入することの可否により識別しており、識別用凹部３０と識別用突部７３の互いの位置により識別するとともに、識別突片７４を識別溝３２内に挿入することの可否により識別している。
【００５９】
なお、識別用凹部３０及び識別用突部７３は、ケース１９の底面２４の長手方向の位置によって互いに識別しているが、底面２４の幅方向の位置によって識別されてもよい。
上述した第１のバッテリーパック５及び第１のバッテリー装着装置６には、規制凹部２８，２９及び規制突部６５，６６が断面略Ｌ字状の同一形状にそれぞれ形成されているが、例えば図１２（ａ）及び図１２（ｂ）に示すように断面略Ｔ字状をなす規制凹部８５及び規制突部８６や、図１３（ａ）及び図１３（ｂ）に示すように断面略Ｙ字状の規制凹部８８及び規制突部８９のように形成されてもよい。
【００６０】
上述した第１のバッテリーパック５及び第１のバッテリー装着装置６は、互いに係合する規制凹部２８，２９及び規制突部６５，６６が同一形成にそれぞれ形成されたが、図１４（ａ）、図１４（ｂ）、図１４（ｃ）、図１４（ｄ）に示すように、略十字状の規制凹部９１を構成する溝の一部に係合する形状に規制突部が形成されてもよい。例えば、図１４（ａ）、図１４（ｂ）、図１４（ｃ）に示すように、規制凹部９１に係合することが可能とされる複数の規制突部９２，９３，９４をそれぞれ設定することができる。すなわち、規制凹部９１を有するバッテリーパックは、各規制突部９２，９３，９４をそれぞれ有する３種類のバッテリー装着装置にそれぞれ装着することが可能とされる。
【００６１】
また、図１５（ａ）、図１５（ｂ）、図１５（ｃ）、図１５（ｄ）に示すように、略Ｔ字状の規制凹部９６の一部に係合する規制突部が形成されてもよい。図１５（ａ）、図１５（ｂ）、図１５（ｃ）に示すように、規制凹部９６には、規制突部９７，９８がそれぞれ係合することが可能とされるように複数の規制突部をそれぞれ設定することができる。すなわち、規制凹部９６を有するバッテリーパックは、各規制突部９７，９８を有する２種類のバッテリー装着装置にそれぞれ装着することが可能とされる。
【００６２】
上述した第１のバッテリーパック５及び第１のバッテリー装着装置６は、規制凹部２８，２９及び規制突部６５，６６が、底面２４の幅方向のほぼ中心線に対して線対称にそれぞれ形成されたが、幅方向のほぼ中心線を挟んで同一形状にそれぞれ形成されてもよいことは勿論である。
【００６３】
上述したように構成されたバッテリー装着機構によれば、第１のバッテリー装着装置６の装着部４３の載置面４５に対して第１のバッテリーパック５の幅方向の傾斜状態が確実に規制されるため、第１のバッテリーパック５の底面２４が装着部４３の載置面４５に対して幅方向に傾斜された状態で挿入されることを確実に防止することができる。したがって、このバッテリー装着機構によれば、第１のバッテリーパック５及び第１のバッテリー装着装置６の各出力端子２１，２２，２３及び接続端子５１，５２，５３の保護を図ることができる。
【００６４】
次に、バッテリー装着機構を構成する他の実施の形態のバッテリーパック及びバッテリー装着装置を図面を参照してそれぞれ説明する。なお、他のバッテリーパック及び他のバッテリー装着装置の説明において、上述した第１のバッテリーパック５及び第１のバッテリー装着装置６と同一部材、同一箇所については詳細な説明を省略する。
【００６５】
第２のバッテリーパック７は、図１６に示すように、充電容量が標準的とされたものであり、上述した第１のバッテリーパック５に比較して厚みが小さく形成されている。
【００６６】
第２のバッテリーパック７は、バッテリーセルを内部に収納するケース１０１と、このケース１０１の前面１０３に設けられてバッテリーセルに接続された第１、第２及び第３の出力端子１０５，１０６，１０７とを備えている。ケース１０１には、図１６に示すように、幅方向の両側面に、バッテリー装着装置に対する装着方向をガイドするためのガイド溝１０９，１０９がそれぞれ形成されている。
【００６７】
第２のバッテリーパック７のケース１０１の前面１０３には、図１６に示すように、適合されるバッテリー装着装置に装着される際に、このバッテリー装着装置に対する底面１０４の幅方向の傾斜状態を規制するための規制凹部１１１，１１２が、幅方向のほぼ中心線に対して対称にそれぞれ形成されている。
【００６８】
そして、第２のバッテリーパック７のケース１０１は、図１６に示すように、底面１０４の略中央に、装着されるバッテリー装着装置が適合するものであるかを識別するための識別用凹部１１３が形成されている。識別用凹部１１３の底面には、ケース１０１の幅方向のほぼ中心線上に位置して、略矩形状の識別用溝１１５が形成されており、底面１０４の幅方向の両側に段部がそれぞれ形成されている。そして、この識別用凹部１１３は、底面１０４の幅方向に平行な寸法が幅Ｗ0 に形成されている。
【００６９】
さらに、第２のバッテリーパック７の要部である識別用凹部１１３内には、図１６に示すように、前面１０３に平行な開口縁から長手方向と平行に突出された識別用突片１１６が一体に形成されている。
【００７０】
ケース１０１の底面１０４には、図１６に示すように、第３の出力端子１０７に隣接して、バッテリー装着装置に対する装着方向をガイドするための第１のガイド溝１１８及び第２のガイド溝１１９がそれぞれ形成されている。また、ケース１０１の幅方向の両側には、バッテリー装着装置に対する底面１０４の幅方向の傾斜を規制するための規制溝１２０，１２０が、前面１０３に開口するとともに底面１０４に略平行にそれぞれ形成されている。
【００７１】
また、ケース１０１の底面１０４には、図１６に示すように、バッテリー装着装置に装着された際にバッテリー装着装置に係合される第１のロック用凹部１２１及び第２のロック用凹部１２２がそれぞれ形成されている。
【００７２】
次に、第３のバッテリーパック９は、充電容量が低容量とされたもので、図１７に示すように、標準型である第２のバッテリーパック７より厚みが小さく形成されている。
【００７３】
この第３のバッテリーパック９は、バッテリーセルを内部に収納するケース１２４と、このケース１２４の前面１２６に設けられてバッテリーセルに接続された第１、第２及び第３の出力端子１２８，１２９，１３０とを備えている。ケース１２４には、図１７に示すように、幅方向の両側面に、バッテリー装着装置に対する装着方向をガイドするためのガイド溝１３２，１３２がそれぞれ形成されている。
【００７４】
第３のバッテリーパック９のケース１２４の前面１２６には、図１７に示すように、適合されるバッテリー装着装置に装着される際に、このバッテリー装着装置に対する底面１２７の幅方向の傾斜状態を規制するための規制凹部１３４，１３５が、幅方向のほぼ中心線に対して対称にそれぞれ形成されている。
【００７５】
そして、この第３のバッテリーパック９のケース１２４は、図１７に示すように、底面１２７の略中央に、装着されるバッテリー装着装置で適合するものであるかを識別するための識別用凹部１３７が形成されている。識別用凹部１３７の底面には、ケース１２４の幅方向のほぼ中心線上に位置して、略矩形状の識別用溝１３８が形成されている。この識別用溝１３８は、識別用凹部１３７内において、底面１２７の幅方向の両側に段部として形成されている。この識別用溝１３８が形成された識別用凹部１３７は、底面１２７の幅方向に平行な寸法が幅Ｗ０に形成されている。
【００７６】
さらに、第３のバッテリーパック９の要部である識別用凹部１３７内には、図１７に示すように、前面１２６に平行な開口縁に、長手方向と平行に突出された識別用突片１３９が一体に形成されている。また、この識別用突片１３９の長手方向の先端部には、識別用切欠き部１４０が形成されている。
【００７７】
そして、ケース１２４には、図１７に示すように、第３の出力端子１３０に隣接して、バッテリー装着装置に対する装着方向をガイドするための第１のガイド溝１４２及び第２のガイド溝１４３がそれぞれ形成されている。また、ケース１２４の幅方向の両側には、バッテリー装着装置に対する底面１２７の幅方向の傾斜を規制するための規制溝１４４，１４４が、前面１２６に開口するとともに底面１２７に略平行にそれぞれ形成されている。
【００７８】
また、ケース１２４の底面１２７には、図１７に示すように、バッテリー装着装置に装着された際にバッテリー装着装置に係合される第１のロック用凹部１４６及び第２のロック用凹部１４７がそれぞれ形成されている。
【００７９】
次に、家庭用交流電源等の他の外部電源と接続して使用されるバッテリープレートを説明する。このバッテリープレート１１は、図１８及び図１９に示すように、略矩形をなす板状に形成されており、各種外部電源と接続するための接続端子部１４８と、この接続端子部１４８が設けられたケース１４９と、接続端子部１４８に接続された第１、第２及び第３の出力端子１５３，１５４，１５５とを有している。
【００８０】
接続端子部１４８には、図示しないＡＣ (alternating current)アダプタ等に接続するための配線コードを有している。ケース１４９には、図１８及び図１９に示すように、幅方向の両側面に、バッテリー装着装置に対する装着方向をガイドするためのガイド溝１５７がそれぞれ形成されている。
【００８１】
バッテリープレート１１のケース１４９の前面１５０には、図１９に示すように、適合されるバッテリー装着装置に装着される際に、このバッテリー装着装置に対する底面１５１の幅方向の傾斜状態を規制するための規制凹部１６０，１６１が、幅方向のほぼ中心線に対して対称にそれぞれ形成されている。
【００８２】
このバッテリープレート１１のケース１４９は、図１９に示すように、底面１５１の略中央に、装着されるバッテリー装着装置で適合するものであるかを識別するための識別用凹部１６３が形成されている。識別用凹部１６３の底面には、ケース１４９の幅方向のほぼ中心線上に位置して、略矩形状の識別用溝１６５が形成されており、底面の幅方向の一側に段部が形成されている。また、識別用凹部１６３は、底面１５１の幅方向に平行な寸法が、上述した各種バッテリーパック５，７，９の各識別用凹部３０，１１３，１３７の幅Ｗ０より小とされる幅Ｗ２に形成されている。
【００８３】
ケース１４９の底面１５１には、図１９に示すように、第３の出力端子１５５に隣接して、バッテリー装着装置に対する装着方向をガイドするための第１のガイド溝１６７及び第２のガイド溝１６８がそれぞれ形成されている。第１のガイド溝１６７は、識別用凹部１６３の段部に連設された平坦状に形成されており、上述した各種バッテリーパック５，７，９の各第１のガイド溝３０，１１３，１３７と形状が異ならせている。
【００８４】
また、ケース１４９の幅方向の両側には、バッテリー装着装置に対する底面１５１の幅方向の傾斜を規制するための規制溝１６９，１６９が、前面１５０に開口するとともに底面１５１に略平行にそれぞれ形成されている。
【００８５】
さらに、ケース１４９の底面１５１には、図１９に示すように、バッテリー装着装置に装着された際にバッテリー装着装置に係合される第１のロック用凹部１７１及び第２のロック用凹部１７２がそれぞれ形成されている。
【００８６】
以上のように構成されたバッテリープレート１１は、適合されるバッテリー装着装置に装着されることにより、ＡＣアダプタを介して外部電源や大型バッテリー等に接続されて、外部電源から電力を装置本体側に直接供給する。
【００８７】
さらに、第４のバッテリーパック１２は、図２０及び図２１に示すように、第１のバッテリーパック５と略々同一構成とされており、ケース１７５の底面１７７の長手方向の寸法が小さく形成されている。この第４のバッテリーパック１２は、図２０及び図２１に示すように、前述した図２及び図３に示した第１のバッテリーパック５の前面１７６側を、図２中に破線により示すように長手方向の長さが短く形成されている。
【００８８】
この第４のバッテリーパック１２は、バッテリーセルを内部に収納するケース１７５と、このケース１７５の前面１７６に設けられてバッテリーセルに接続された第１、第２及び第３の出力端子１８１，１８２，１８３とを備えている。ケース１７５には、図２０及び図２１に示すように、幅方向の両側面に、バッテリー装着装置に対する装着方向をガイドするためのガイド溝１８５がそれぞれ形成されている。
【００８９】
第４のバッテリーパック１２のケース１７５の前面１７６には、図２１に示すように、適合されるバッテリー装着装置に装着される際に、このバッテリー装着装置に対する底面１７７の幅方向の傾斜状態を規制するための規制凹部１８７，１８８がそれぞれ形成されている。一方の規制凹部１８７は、断面略Ｔ字状に形成されており、他方の規制凹部１８８は、断面略Ｌ字状に形成されている。
【００９０】
そして、第４のバッテリーパック１２のケース１７５は、図２１に示すように、底面１７７の略中央に、装着されるバッテリー装着装置が適合するものであるかを識別するための識別用凹部１９０が形成されている。識別用凹部１９０の底面には、ケース１７５の幅方向のほぼ中心線上に位置して、略矩形状の識別用溝１９１が形成されており、底面の幅方向の両側に段部がそれぞれ形成されている。また、識別用凹部１９０は、底面１７７の幅方向に平行な寸法が幅Ｗ０に形成されている。
【００９１】
また、ケース１７５の底面１７７には、図２１に示すように、第３の出力端子１８３に隣接して、バッテリー装着装置に対する装着方向をガイドするための第１のガイド溝１９３及び第２のガイド溝１９４がそれぞれ形成されている。また、ケース１７５の底面１７７には、第１のガイド溝１９３に隣接して、第１のバッテリーパック５と識別するための識別用溝１９５が形成されている。また、ケース１７５の幅方向の両側には、バッテリー装着装置に対する底面１７７の幅方向の傾斜を規制するための規制溝１９６，１９６が、前面１７６に開口するとともに底面１７７に略平行にそれぞれ形成されている。
【００９２】
さらに、ケース１７５の底面１７７には、図２１に示すように、バッテリー装着装置に装着された際にバッテリー装着装置に係合される第１のロック用凹部１９７及び第２のロック用凹部１９８がそれぞれ形成されている。第２のロック用凹部１９８は、ケース１７５の背面に一側が開口して形成されている。
【００９３】
次に、上述した第１、第２、第３及び第４のバッテリーパック５，７，９，１２が装着可能とされる第２のバッテリー装着装置について図面を参照して説明する。
【００９４】
第２のバッテリー装着装置８は、図２２に示すように、各種バッテリーパック５，７，９，１２が載置される載置面２０４を有する装着部２０１と、各種バッテリーパック５，７，９，１２の各出力端子２１，２２，２３、１０５，１０６，１０７、１２８，１２９，１３０、１８１，１８２，１８３が接続される端子部２０２とを有している。
【００９５】
装着部２０１には、図２２に示すように、載置面２０４の幅方向の両側面に、載置面２０４に隣接して、各種バッテリーパック５，７，９，１２の各ガイド溝２６，１０９，１３２，１８５にそれぞれ係合するガイド突部２０７がそれぞれ形成されている。
【００９６】
端子部２０２は、図２２に示すように、装着される各種バッテリーパック５，７，９，１２の前面２０，１０３，１２６，１７６に対向する突当面２０５側に配設されており、各バッテリーパック５，７，９，１２の各出力端子２１，２２，２３、１０５，１０６，１０７、１２８，１２９，１３０、１８１，１８２，１８３が接続される第１、第２及び第３の接続端子２１１．２１２．２１３を有している。また、端子部２０２は、図２２に示すように、各接続端子２１１，２１２，２１３を保護するためのカバー部材２１５が、装着部２０１に対して回動可能に配設されている。
【００９７】
また、第２のバッテリー装着装置８の装着部２０１には、図２２に示すように、突当面２０５と載置面２０４とに跨って、各種バッテリーパック５，７，９，１２の規制凹部２８，２９、１１１，１１２、１３４，１３５、１８７，１８８にそれぞれ係合する一対の規制突部２１７，２１８が、載置面２０４の幅方向のほぼ中心線に対して線対称にそれぞれ一体に形成されている。これら規制突部２１７，２１８は、載置面２０４に直交する方向の高さが、各接続端子２１１，２１２，２１３の外周部の高さより大となるように形成されており、各接続端子２１１，２１２，２１３が破損することを防止している。
【００９８】
また、第２のバッテリー装着装置８の装着部２０１には、突当面２０５と載置面２０４とに跨って、第３の接続端子２１３に隣接する位置に、載置面２０４の長手方向と平行にバッテリーパック５，７，９，１２の装着方向をガイドする第１のガイド突部２２０が一体に形成されている。この第１のガイド突部２２０には、載置面２０４に直交する方向に突出された段部が、突当面２０５に連設されている。この段部は、載置面２０４に直交する方向の高さが、各規制突部２１７，２１８の高さよりやや大に形成されており、各接続端子２１１，２１２，２１３が破損することを防止している。
【００９９】
また、第２のバッテリー装着装置８の装着部２０１には、図２２に示すように、載置面２０４と突当面２０５とに跨って、各種バッテリーパック５，７，９，１２の装着方向をガイドする第２のガイド突部２２２が、載置面２０４の長手方向と平行に一体に形成されている。また、第２のバッテリー装着装置８の装着部２０１には、幅方向の両側に、各種バッテリーパック５，７，９，１２の規制溝３７，１２０，１３２，１９６に係合する規制爪２２４，２２４がそれぞれ一体に突出形成されている。規制爪２２４は、載置面２０４に平行とされるとともに載置面２０４の長手方向に平行に形成されている。また、第２のバッテリー装着装置８の装着部２０１には、載置面２０４の略中央に、各種バッテリーパック５，７，９，１２の識別用凹部３０，１１３，１３７，１９０に係合する識別用突部２２６が一体に形成されている。
【０１００】
そして、識別用突部２２６は、図２２に示すように、載置面２０４の幅方向に平行な寸法が、第１のバッテリー装着装置６の識別用突部７３の幅Ｗ１より大とされた幅Ｗ３に形成されている。この識別用突部２２６は、各種バッテリーパック５，７，９，１２の識別用凹部３０，１１３，１３７，１９０の幅Ｗ０よりやや小とされており、各識別用凹部３０、１１３，１３７，１９０に挿入可能とされている。また、図２２に示すように、識別用突部２２６は、突当面２０５から直交する方向に、第１のバッテリー装着装置６の識別用突部７３の距離Ｌ1 より大とされる距離Ｌ2 を隔てた位置に形成されている。
【０１０１】
また、第２のバッテリー装着装置８の装着部２０１には、装着された各種バッテリーパック５，７，９，１２を保持するためのロック機構２２８が設けられている。ロック機構２２８は、各種バッテリーパック５，７，９，１２の第１のロック用穴３８，１２１，１４６，１９７に係合するロック爪２３２を有するロック部材２３０と、このロック部材２３０を移動操作するための操作レバー２３１とを有している。ロック爪２３２は、載置面２０４に形成された開口部２３４に移動可能に挿通されている。
【０１０２】
以上のように構成された第２のバッテリー装着装置８には、第１、第２、第３及び第４のバッテリーパック５，７，９，１２が装着される場合、識別用凹部３０，１１３，１３７，１９０内に識別用突部２２６が挿入されて適合するものであると識別されて装着される。また、第２のバッテリー装着装置８は、不適合とされたバッテリープレート１１が装着される場合、バッテリープレート１１の第１のガイド溝１６７の平坦面に第１のガイド突部２２０の段部が当接して挿入不能とされるとともに、バッテリープレート１１の識別用凹部１６３の幅Ｗ２が識別用突部２２６の幅Ｗ３より小とされているため、識別用凹部１６３に識別用突部２２６が挿入不能とされるため、バッテリープレート１１が不適合であると識別されて装着不能とされる。したがって、この第２のバッテリー装着装置８には、バッテリープレート１１のみを装着不能とする。
【０１０３】
次に、上述した第１、第２、第３及び第４のバッテリーパック５，７，９，１２並びにバッテリープレート１１がそれぞれ装着可能とされる第３のバッテリー装着装置について図面を参照して説明する。
【０１０４】
第３のバッテリー装着装置１０は、図２３に示すように、各種バッテリーパック５，７，９，１２及びバッテリープレート１１が載置される載置面２４１を有する装着部２３８と、各種バッテリーパック５，７，９，１２及びバッテリープレート１１の各出力端子２１，２２，２３、１０５，１０６，１０７、１２８，１２９，１３０、１８１，１８２，１８３、１５３，１５４，１５５が接続される端子部２３９とを有している。
【０１０５】
装着部２３９には、図２３に示すように、載置面２４１の幅方向の両側面に、載置面２４１に隣接して、各種バッテリーパック５，７，９，１２及びバッテリープレート１１の各ガイド溝２６，１０９，１３２，１８５，１５７にそれぞれ係合するガイド突部２４４がそれぞれ形成されている。
【０１０６】
端子部２３９は、図２３に示すように、装着される各種バッテリーパック５，７，９，１２及びバッテリープレート１１の前面２０，１０３，１２６，１７６に対向する突当面２４２側に配設されており、各種バッテリーパック５，７，９，１２及びバッテリープレート１１の各出力端子２１，２２，２３、１０５，１０６，１０７、１２８，１２９，１３０、１８１，１８２，１８３、１５３，１５４，１５５が接続される第１、第２及び第３の接続端子２４６，２４７，２４８を有している。また、端子部２３９は、図２３に示すように、各接続端子２４６，２４７，２４８を保護するためのカバー部材２５０が、装着部２３９に対して回動可能に配設されている。
【０１０７】
また、第３のバッテリー装着装置１０の装着部２３８には、図２３に示すように、突当面２４１と載置面２４１とに跨って、各種バッテリーパック５，７，９，１２及びバッテリープレート１１の規制凹部２８，２９、１１１，１１２、１３４，１３５、１８７，１８８、１６０，１６１にそれぞれ係合する一対の規制突部２５２，２５３が、載置面２４１の幅方向のほぼ中心線に対して線対称にそれぞれ一体に形成されている。これら規制突部２５２，２５３は、載置面２４１に直交する方向の高さが、各接続端子２４６，２４７，２４８の外周部の高さより大となるように形成されており、各接続端子２４６，２４７，２４８が破損することを防止している。
【０１０８】
さらに、第３のバッテリー装着装置１０の装着部２３８には、突当面２４２と載置面２４１とに跨って、第３の接続端子２４８に隣接する位置に、載置面２４１の長手方向と平行に各種バッテリーパック５，７，９，１２及びバッテリープレート１１の装着方向をガイドする第１のガイド突部２５５が一体に形成されている。
【０１０９】
さらにまた、第３のバッテリー装着装置１０の装着部２３９には、図２３に示すように、載置面２４１と突当面２４２とに跨って、各種バッテリーパック５，７，９，１２及びバッテリープレート１１の装着方向をガイドする第２のガイド突部２５６が、載置面２４１の長手方向と平行に一体に形成されている。また、第３のバッテリー装着装置１０の装着部２３９には、幅方向の両側に、各種バッテリーパック５，７，９，１２及びバッテリープレート１１の規制溝３７，１２０，１３２，１９６，１６９に係合する規制爪２５７，２５７がそれぞれ一体に突出形成されている。規制爪２５７，２５７は、載置面２４１に平行とされるとともに載置面２４１の長手方向に平行に形成されている。なお、この第３のバッテリー装着装置１０の装着部２３９には、載置面２４１の略中央に、各種バッテリーパック５，７，９，１２及びバッテリープレート１１の識別用凹部３０，１１３，１３７，１９０，１６３に係合する識別用突部が形成されていない。したがって、第３のバッテリー装着装置１０の載置面２４１には、各種バッテリーパック５，７，９，１２及びバッテリープレート１１をそれぞれ載置することが可能とされている。
【０１１０】
また、第３のバッテリー装着装置１０の装着部２３９には、装着された各種バッテリーパック５，７，９，１２及びバッテリープレート１１を保持するためのロック機構２６０が設けられている。ロック機構２６０は、各種バッテリーパック５，７，９，１２及びバッテリープレート１１の第１のロック用穴３８，１２１，１４６，１９７，１７１に係合するロック爪２６４を有するロック部材２６２と、このロック部材２６２を移動操作するための操作レバー２６３とを有している。ロック爪２６４は、載置面２４１に形成された開口部２６５に移動可能に挿通されている。
【０１１１】
以上のように構成された第３のバッテリー装着装置１０には、第１、第２、第３及び第４のバッテリーパック５，７，９，１２並びにバッテリープレート１１がそれぞれ装着される場合、識別用凹部３０，１１３，１３７，１９０，１６３に挿入される識別用突部が形成されてないため、第１、第２、第３及び第４のバッテリーパック５，７，９，１２並びにバッテリープレート１１が適合するものとされて装着される。さらに、第３のバッテリー装着装置１０は、第１のガイド突部２５５に段部が突出形成されていないため、バッテリープレート１１の第１のガイド溝１６７内に挿入され、バッテリープレート１１が適合するものとされて装着される。
【０１１２】
次に、上述した第４のバッテリーパック１２のみが装着可能とされる第４のバッテリー装着装置について図面を参照して説明する。
【０１１３】
第４のバッテリー装着装置１３は、図２４に示すように、第４のバッテリーパック１２が載置される載置面２７１を有する装着部２６８と、第４のバッテリーパック１２の各出力端子１８１，１８２，１８３が接続される端子部２６９とを有している。
【０１１４】
装着部２６８には、図２４に示すように、載置面２７１の幅方向の両側面に、載置面２７１に隣接して、第４のバッテリーパック１２の各ガイド溝１８５にそれぞれ係合するガイド突部２７５がそれぞれ形成されている。
【０１１５】
端子部２６９は、図２４に示すように、装着される第４のバッテリーパック１２の前面１７６に対向する突当面２７２側に配設されており、第４のバッテリーパック１２の各出力端子１８１，１８２，１８３が接続される第１、第２及び第３の接続端子２７７，２７８，２７９を有している。また、端子部２６９は、図２４に示すように、各接続端子２７７，２７８，２７９を保護するためのカバー部材２８２が、装着部２６８に対して回動可能に配設されている。
【０１１６】
第４のバッテリー装着装置１３の装着部２６８には、図２４に示すように、突当面２７２と載置面２７１とに跨って、第４のバッテリーパック１２の規制凹部１８７，１８８にそれぞれ係合する一対の規制突部２８５，２８６がそれぞれ一体に形成されている。これら規制突部２８５，２８６は、載置面２７１に直交する方向の高さが、各接続端子２７７，２７８，２７９の外周部の高さより大となるように形成されており、各接続端子２７７，２７８，２７９が破損することを防止している。
【０１１７】
また、第４のバッテリー装着装置１３の装着部２６８には、突当面２７２と載置面２７１とに跨って、第３の接続端子２７９に隣接する位置に、載置面２７１の長手方向と平行に第４のバッテリーパック１２の装着方向をガイドする第１のガイド突部２８８が一体に形成されている。この第１のガイド突部２８８には、載置面２７１に直交する方向に突出された段部が、突当面２７２に連設されている。この段部は、載置面２７１に直交する方向の高さが、各規制突部２８５，２８６の高さよりやや大に形成されており、各接続端子２７７，２７８，２７９が破損することを防止している。
【０１１８】
さらに、第４のバッテリー装着装置１３の装着部２６８には、幅方向の両側に、第４のバッテリーパック１２の規制溝１９６，１９６に係合する規制爪２９０，２９０がそれぞれ一体に突出形成されている。規制爪２９０，２９０は、載置面２７１に平行とされるとともに載置面２７１の長手方向に平行に形成されている。また、第４のバッテリー装着装置１３の装着部２６８には、載置面２７１の略中央に、第４のバッテリーパック１２の識別用凹部１９０に係合する識別用突部２９１が一体に形成されている。
【０１１９】
この識別用突部２９１は、図２４に示すように、第１のバッテリー装着装置６の識別用突部７３の幅Ｗ1 より大とされた幅Ｗ3 に形成されている。また、図２４に示すように、識別用突部２９１は、突当面２７２から直交する方向に、第１のバッテリー装着装置６の識別用突部７３の距離Ｌ1 より大とされる距離Ｌ2 を隔てた位置に形成されている。
【０１２０】
また、第４のバッテリー装着装置１３の装着部２６８には、装着された第４のバッテリーパック１２を保持するためのロック機構２９３が設けられている。ロック機構２９３は、第４のバッテリーパック１２の第１のロック用穴１９７に係合するロック爪２９８を有するロック部材２９５と、このロック部材２９５を移動操作するための操作レバー２９６とを有している。ロック爪２９８は、載置面２７に形成された開口部２９９に移動可能に挿通されている。
【０１２１】
以上のように構成された第４のバッテリー装着装置１３には、第４のバッテリーパック１２のみが装着される場合、識別用凹部１９０に識別用突部２９１が挿入されることにより、第４のバッテリーパック１２が適合するものであると識別されて装着される。
【０１２２】
また、第４のバッテリー装着装置１３は、不適合とされた第１、第２及び第３のバッテリーパック５，７，９並びにバッテリープレート１１が誤って装着される場合、一方の規制突部２８６がケース１９，１０１，１２４，１４９の前面２０，１０３，１２６，１５０に当接することにより挿入不能とされて、第１、第２及び第３のバッテリーパック５，７，９並びにバッテリープレート１１が不適合と識別されて装着不能とされる。
【０１２３】
最後に、上述した第１のバッテリー装着装置５は、第１のバッテリーパック５及びバッテリープレート１１のみを装着可能とされており、第２、第３及び第４のバッテリーパック７，９，１２を不適合とされている。第１のバッテリー装着装置５は、第１のバッテリーパック５及びバッテリープレート１１が装着される場合、識別用凹部３０，１６３内に識別用突部７３及び識別用突片７４が挿入されて適合するものであると識別されて装着される。
【０１２４】
また、第１のバッテリー装着装置５は、不適合とされた第２のバッテリーパック７が装着される場合、識別用突部７３の識別用突片７４が、識別用凹部１１３の識別用突片１１６に当接して挿入不能とされるため、第２のバッテリーパック７が不適合であると識別されて装着不能とされる。また、第１のバッテリー装着装置５は、不適合とされた第３のバッテリーパック９が装着される場合、識別用突部７３の識別用突片７４が、識別用凹部１３７の識別用突片１３９に当接して挿入不能とされるため、第３のバッテリーパック９が不適合であると識別されて装着不能とされる。
【０１２５】
上述した各種バッテリーパック５，７，９，１２及びバッテリープレート１１は、ビデオカメラ装置１が備える各種バッテリー装着装置に装着される構成とされたが、ビデオカメラ装置１に取り付けられて使用される照明装置に適用されてもよい。上述した各種バッテリーパック５，７，９，１２及びバッテリープレート１１が装着される照明装置について図面を参照して説明する。
【０１２６】
第１の照明装置１５は、図２５及び図２６に示すように、被写体等を照らすための照明部３０１と、この照明部３０１の作動状態を切り替えるための切替えスイッチ部３０２と、第１及び第２のバッテリーパック５，７がそれぞれ着脱可能に装着される装着部３０３と、各種バッテリーパック５，７の各出力端子２１，２２，２３、１０５，１０６，１０７が接続される端子部３０４とを有している。
【０１２７】
装着部３０３には、図２６に示すように、載置面３０６の幅方向の両側面に、載置面３０６に隣接して、各種バッテリーパック５，７の各ガイド溝２６，１０９にそれぞれ係合するガイド突部３０９がそれぞれ形成されている。
【０１２８】
端子部３０４は、図２６に示すように、装着される各種バッテリーパック５，７の前面２０，１０３に対向する突当面３０７側に配設されており、各種バッテリーパック５，７の各出力端子が接続される第１、第２及び第３の接続端子３１１，３１２，３１３を有している。また、端子部３０４は、図２６に示すように、各接続端子３１１，３１２，３１３を保護するためのカバー部材３１５が、装着部３０３に対して回動可能に配設されている。
【０１２９】
そして、第１の照明装置１５の装着部３０３には、図２６に示すように、突当面３０７と載置面３０６とに跨って、各種バッテリーパック５，７の規制凹部２８，２９、１１１，１１２にそれぞれ係合する一対の規制突部３１６，３１７が、載置面３０６の幅方向のほぼ中心線に対して線対称にそれぞれ一体に形成されている。これら規制突部３１６，３１７は、載置面３０６に直交する方向の高さが、各接続端子３１１，３１２，３１３の外周部の高さより大となるように形成されており、各接続端子３１１，３１２，３１３が破損することを防止している。
【０１３０】
また、第１の照明装置１５の装着部３０３には、突当面３０７と載置面３０６とに跨って、第３の接続端子３１３に隣接する位置に、載置面３０６の長手方向と平行に各種バッテリーパック５，７の装着方向をガイドする第１のガイド突部３１９が一体に形成されている。この第１のガイド突部３１９には、載置面３０６に直交する方向に突出された段部が、突当面３０７に連設されている。この段部は、載置面３０６に直交する方向の高さが、各規制突部３１６，３１７の高さよりやや大に形成されており、各接続端子３１１，３１２，３１３が破損することを防止している。
【０１３１】
さらに、第１の照明装置１５の装着部３０３には、図２６に示すように、載置面３０６と突当面３０７とに跨って、各種バッテリーパック５，７の装着方向をガイドする第２のガイド突部３２１が、載置面３０６の長手方向と平行に一体に形成されている。また、第１の照明装置１５の装着部３０３には、幅方向の両側に、各種バッテリーパック５，７の規制溝３７，１２０に係合する規制爪３２３，３２３がそれぞれ一体に突出形成されている。規制爪３２３，３２３は、載置面３０６に平行とされるとともに載置面３０６の長手方向に平行に形成されている。また、第１の照明装置１５の装着部３０３には、載置面３０６の略中央に、各種バッテリーパック５，７の識別用凹部３０，１１３に係合する識別用突部３２５が一体に形成されている。この識別用突部３２５の先端部には、識別用突片３２６が一体に形成されている。
【０１３２】
そして、この識別用突部３２５は、図２６に示すように、第１のバッテリー装着装置６の識別用突部７３の幅Ｗ１より大とされた幅Ｗ３に形成されている。また、図２６に示すように、識別用突部３２５は、突当面３０７から直交する方向に、第１のバッテリー装着装置６の識別用突部７３の距離Ｌ1 より大とされる距離Ｌ2 を隔てた位置に形成されている。
【０１３３】
また、第１の照明装置１５の装着部３０３には、装着された各種バッテリーパック５，、７を保持するためのロック機構３２８が設けられている。ロック機構３２８は、各種バッテリーパック５，７の第１のロック用穴３８，１２１に係合するロック爪３３２を有するロック部材３３０と、このロック部材３３０を移動操作するための操作レバー３３１とを有している。ロック爪３３２は、載置面３０６に形成された開口部３３３に移動可能に挿通されている。
【０１３４】
以上のように構成された第１の照明装置１５の装着部３０３は、第１、第２及び第４のバッテリーパック５，７，１２が装着される場合、識別用凹部３０，１１３、１９０に識別用突部３２５が挿入されることによって、第１、第２及び第４のバッテリーパック５，７，１２が適合とするものであると識別されて装着される。
【０１３５】
また、この第１の照明装置１５の装着部３０３は、不適合とされる第３のバッテリーパック９が誤って装着される場合、識別用突部３２５の識別用突起３２６が、識別用凹部１３７内の識別用突起１３９の識別用切欠き部１４０に当接して挿入不能とされるため、第３のバッテリーパック９が不適合であると識別されて装着不能とされる。
【０１３６】
また、この第１の照明装置１５の装着部３０３は、不適合とされるバッテリープレート１１が誤って装着される場合、バッテリープレート１１の第１のガイド溝１６７の平坦面に第１のガイド突部３１９の段部が当接して挿入不能とされるとともに、バッテリープレート１１の識別用凹部１６３の幅Ｗ２が識別用突部３２５の幅Ｗ３より小とされているため、識別用凹部１６３内に識別用突部３２５が挿入不能とされるため、バッテリープレート１１が不適合であると識別されて装着不能とされる。
【０１３７】
したがって、第１の照明装置１５の装着部３０３は、高容量型の第１のバッテリーパック５及び標準型の第２のバッテリーパック７及び第４のバッテリーパック１２がそれぞれ装着可能に適合されている。この第１の照明装置１５は、照明部３０１の消費電力が比較的大とされているため、充電容量が比較的低容量とされる第３のバッテリーパック９や、バッテリープレート１１が不適合とされている。
【０１３８】
上述した第１の照明装置１５に比較して照明量が大とされた第２の照明装置について図面を参照して説明する。
【０１３９】
第２の照明装置１７は、図２７及び図２８に示すように、被写体等を照らすための照明部３３６と、この照明部３３６の作動状態を切り替えるための切替えスイッチ部３３７と、第１のバッテリーパック５が着脱可能に装着される装着部３３８と、第１のバッテリーパック５の各出力端子２１，２２，２３が接続される端子部３３９とを有している。
【０１４０】
装着部３３８には、図２８に示すように、載置面３４１の幅方向の両側面に、載置面３４１に隣接して、第１のバッテリーパック５の各ガイド溝２６にそれぞれ係合するガイド突部３４４がそれぞれ形成されている。
【０１４１】
端子部３３９は、図２８に示すように、装着される第１のバッテリーパック５の前面２０に対向する突当面３４２側に配設されており、第１のバッテリーパック５の各出力端子２１，２２，２３が接続される第１、第２及び第３の接続端子３４６，３４７，３４８を有している。また、端子部３３９には、図２８に示すように、各接続端子３４６，３４７，３４８を保護するためのカバー部材３５０が、装着部３３８に対して回動可能に配設されている。
【０１４２】
第２の照明装置１７の装着部３３８には、図２８に示すように、突当面３４２と載置面３４１とに跨って、第１のバッテリーパック５の規制凹部２８，２９にそれぞれ係合する一対の規制突部３５２，３５３が、載置面３４１の幅方向のほぼ中心線に対して線対称にそれぞれ一体に形成されている。これら規制突部３５２，３５３は、載置面３４１に直交する方向の高さが、各接続端子３４６，３４７，３４８の外周部の高さより大となるように形成されており、各接続端子３４６，３４７，３４８が破損することを防止している。
【０１４３】
また、第２の照明装置１７の装着部３３８には、突当面３４２と載置面３４１とに跨って、第３の接続端子３４８に隣接する位置に、載置面３４１の長手方向と平行に第１のバッテリーパック５の装着方向をガイドする第１のガイド突部３５５が一体に形成されている。この第１のガイド突部３５５には、載置面３４１に直交する方向に突出された段部が、突当面３４２に連設されている。この段部は、載置面３４１に直交する方向の高さが、各規制突部３５２，３５３の高さよりやや大に形成されており、各接続端子３４６，３４７，３４８が破損することを防止している。
【０１４４】
さらに、第２の照明装置１７の装着部３３８には、図２８に示すように、載置面３４１と突当面３４２とに跨って、第１のバッテリーパック５の装着方向をガイドする第２のガイド突部３５７が、載置面３４１の長手方向と平行に一体に形成されている。また、第２の照明装置１７の装着部３３８には、幅方向の両側に、第１のバッテリーパック５の規制溝３７に係合する規制爪３５８，３５８がそれぞれ一体に突出形成されている。規制爪３５８，３５８は、載置面３４１に平行とされるとともに第１のバッテリーパック５の長手方向に平行に形成されている。また、第２の照明装置１７の装着部３３８には、載置面３４１の略中央に、第１のバッテリーパック５の識別用凹部３０に係合する識別用突部３６０が一体に形成されている。この識別用突部３６０の先端部には、識別用突片３６１が一体に形成されている。
【０１４５】
この識別用突部３６０は、図２８に示すように、第１のバッテリー装着装置６の識別用突部７３の幅Ｗ１より大とされた幅Ｗ３に形成されている。また、図２８に示すように、識別用突部３６０は、突当面３４２から直交する方向に、第１の照明装置１５の識別用突部３２５の距離Ｌ２より小とされる距離Ｌ１を隔てた位置に形成されている。
【０１４６】
また、第２の照明装置１７の装着部３３８には、装着された第１のバッテリーパック５を保持するためのロック機構３６３が設けられている。ロック機構３６３は、第１のバッテリーパック５の第１のロック用穴３０に係合するロック爪３６６を有するロック部材３６４と、このロック部材３６４を移動操作するための操作レバー３６５とを有している。ロック爪３６６は、載置面３４１に形成された開口部３６８に移動可能に挿通されている。
【０１４７】
以上のように構成された第２の照明装置１７の装着部３３８には、第１及び第４のバッテリーパック５，１２が装着される場合、識別用凹部３０，１９０内に識別用突部３６０が挿入されることにより、第１及び第４のバッテリーパック５，１２が適合するものであると識別されて装着される。
【０１４８】
また、第２の照明装置１７の装着部３３８は、不適合とされた第２のバッテリーパック７が装着される場合、識別用突部３６０の識別用突片３６１が、識別用凹部１１３の識別用突片１１６に当接して挿入不能とされるため、第２のバッテリーパック７が不適合であると識別されて装着不能とされる。また、第２の照明装置１７は、不適合とされた第３のバッテリーパック９が装着される場合、識別用突部３６０の識別用突片３６１が、識別用凹部１３７の識別用突片１３９に当接して挿入不能とされるため、第３のバッテリーパック９が不適合であると識別されて装着不能とされる。また、この第２の照明装置１７の装着部３３８は、不適合とされるバッテリープレート１１が誤って装着される場合、バッテリープレート１１の第１のガイド溝１６７の平坦面に第１のガイド突部３５５の段部が当接して挿入不能とされるとともに、バッテリープレート１１の識別用凹部１６３の幅Ｗ２が識別用突部３６０の幅Ｗ３より小とされているため、識別用凹部１６３内に識別用突部３６０が挿入不能となり、バッテリープレート１１が不適合であると識別されて装着不能とされる。したがって、第２の照明装置１７の装着部３３８には、高容量型の第１及び第４のバッテリーパック５，１２が装着可能とされている。
【０１４９】
上述したように、本発明に係るバッテリー装着機構によれば、各種バッテリーパック５，７，９，１１の識別用凹部３０，１１３，１３７，１９０及びこれら識別用凹部３０，１１３，１３７，１９０内の識別溝３２，１１５，１３８，１９１及び識別用突片１１６，１３９、識別用切り欠き部１４０と、識別用突部７３，２２６，２９１，３２５，３６０及びこれら識別用突部７３，２２６，２９１，３２５，３６０の識別用突片７４，３２６，３６１とによって互いに識別を行うため、複数の仕様にそれぞれ対応する各種形状を設定することが容易にできる。そして、このバッテリー装着機構によれば、識別用凹部及び識別用突部の形状のみを適宜変更するだけでよいため、仕様が異なるバッテリーパックごとに新規金型を製造する必要がなく、金型等の製造コストを削減することが可能とされる。
【０１５０】
なお、本発明に係るバッテリーパックは、充電可能な二次電池を有するバッテリーセルを備える構成とされたが、二次電池に限定されるものでなく、例えば一次乾電池が交換可能に収納されるように構成されてもよい。また、本発明に係るバッテリーパックが装着されるバッテリー装着装置は、ビデオカメラや照明装置に設けられる構成として説明したが、例えばバッテリーパックに充電を行うための充電装置等の電子機器に設けられる構成とされてもよい。
【図面の簡単な説明】
【０１５１】
【図１】本発明に係るバッテリーパックが装着されるバッテリー装着機構を備えるビデオカメラ装置を示す斜視図である。
【図２】バッテリー装着機構に装着される第１のバッテリーパックを示す斜視図である。
【図３】上記第１のバッテリーパックを底面側から示す斜視図である。
【図４】上記バッテリー装着機構が備える第１のバッテリー装着装置を示す斜視図である。
【図５】上記第１のバッテリー装着装置が有する端子部を示す斜視図である。
【図６】上記端子部を示す正面図である。
【図７】上記端子部の接続端子を示す斜視図である。
【図８】上記第１のバッテリーパックを第１のバッテリー装着装置に装着する際に、第１のバッテリーパックが長手方向に傾斜されて装着される状態を端子部側から示す側面図である。
【図９】上記第１のバッテリーパックを第１のバッテリー装着装置に装着する際に、第１のバッテリーパックが長手方向に傾斜されて装着される状態を示す側面図である。
【図１０】上記第１のバッテリーパックを第１のバッテリー装着装置に装着する際に、第１のバッテリーパックが幅方向に傾斜されて装着される状態を端子部側から示す側面図である。
【図１１】上記第１のバッテリーパックを第１のバッテリー装着装置に装着する際に、第１のバッテリーパックが幅方向に傾斜されて装着される状態を示す側面図である。
【図１２】他の識別用凹部及び識別用突部を示す斜視図である。
【図１３】更に他の識別用凹部及び識別用突部を示す斜視図である。
【図１４】また他の識別用凹部及び識別用突部を示す斜視図である。
【図１５】また他の識別用凹部及び識別用突部を示す斜視図である。
【図１６】第２のバッテリーパックを底面側から示す斜視図である。
【図１７】第３のバッテリーパックを底面側から示す斜視図である。
【図１８】バッテリープレートを示す斜視図である。
【図１９】上記バッテリープレートを示す斜視図である。
【図２０】第４のバッテリーパックを示す斜視図である。
【図２１】上記第４のバッテリーパックを底面側から示す斜視図である。
【図２２】第２のバッテリー装着装置を示す斜視図である。
【図２３】第３のバッテリー装着装置を示す斜視図である。
【図２４】第４のバッテリー装着機構を示す斜視図である。
【図２５】第１の照明装置を示す斜視図である。
【図２６】上記第１の照明装置の要部を示す斜視図である。
【図２７】第２の照明装置を示す斜視図である。
【図２８】上記第２の照明装置の要部を示す斜視図である。
【符号の説明】
【０１５２】
５  第１のバッテリーパック、６  第１のバッテリー装着装置、１９  ケース、４３  装着部、２１，２２，２３  第１、第２及び第３の出力端子、４４端子部、３０  識別用凹部、７３  識別用突部
【図１】
2007188906.tif 000003
【図２】
2007188906.tif 000004
【図３】
2007188906.tif 000005
【図４】
2007188906.tif 000006
【図５】
2007188906.tif 000007
【図６】
2007188906.tif 000008
【図７】
2007188906.tif 000009
【図８】
2007188906.tif 000010
【図９】
2007188906.tif 000011
【図１０】
2007188906.tif 000012
【図１１】
2007188906.tif 000013
【図１２】
2007188906.tif 000014
【図１３】
2007188906.tif 000015
【図１４】
2007188906.tif 000016
【図１５】
2007188906.tif 000017
【図１６】
2007188906.tif 000018
【図１７】
2007188906.tif 000019
【図１８】
2007188906.tif 000020
【図１９】
2007188906.tif 000021
【図２０】
2007188906.tif 000022
【図２１】
2007188906.tif 000023
【図２２】
2007188906.tif 000024
【図２３】
2007188906.tif 000025
【図２４】
2007188906.tif 000026
【図２５】
2007188906.tif 000027
【図２６】
2007188906.tif 000028
【図２７】
2007188906.tif 000029
【図２８】
2007188906.tif 000030